(57)【要約】  受信部と符号判定装置とを有し、所定ビット長の多相信号からなる符号を受信して判定する受信装置であって、前記受信部と前記符号判定装置との間に、受信した信号をフィルタする受信信号フィルタを設け、該受信信号フィルタの伝達関数は、前記多相信号の信号点を直交座標平面における角度と伝達量で表現した場合、前記多相信号点のそれぞれの角度における伝達量を最大値Ｍａｘとし、前記多相信号の信号点以外の角度における伝達量を、前記最大値Ｍａｘ未満とした受信装置である。【特許請求の範囲】
【請求項１】
受信部と符号判定装置とを有し、所定ビット長の多相信号からなる符号を受信して判定する受信装置において、
前記受信部と前記符号判定装置との間に、受信した信号をフィルタする受信信号フィルタを設け、
該受信信号フィルタの伝達関数は、前記多相信号の信号点を直交座標平面における角度と伝達量で表現した場合、前記多相信号点のそれぞれの角度における伝達量を最大値Ｍａｘとし、前記多相信号の信号点以外の角度における伝達量を、前記最大値Ｍａｘ未満としたことを特徴とする受信装置。
【請求項２】
受信部と符号判定装置とを有し、所定ビット長の多相信号からなる符号を受信して判定する受信装置において、
前記符号判定装置は、前記符号の長さと同じ長さを有するマッチドフィルタと、該マッチドフィルタの出力を判定する判定部とを有し、
前記マッチドフィルタは、受信した符号との相関を出力し、
前記判定部は、前記マッチドフィルタの出力ｙが次式で表される場合、
ｙ＝ａ＋ｊｂ              
次式で表される平方差値ｘ３に基づいて、受信した符号を判定することを特徴とする受信装置。
ｘ３＝（ａ２−ｂ２）Ｎ／Ｍ 
ただし、Ｎ、Ｍは、１以上の正の整数である。
【請求項３】
前記所定ビット長の多相信号が、所定ビット長の４相信号であることを特徴とする請求項１又は２記載の受信装置。
【請求項４】
前記所定ビット長の４相信号からなる符号は、
８ビットの符号Ｓ０、Ｓ１、Ｓ２・・・、Ｓｋ（Ｋは、２以上の整数）と、
前記符号Ｓ０、Ｓ１、Ｓ２・・・、Ｓｋを反転した符号−Ｓ０、−Ｓ１、−Ｓ２、・・・、−Ｓｋと、
前記符号Ｓ０、Ｓ１、Ｓ２、・・・、Ｓｋにｊを掛けた符号ｊＳ０、ｊＳ１、ｊＳ２、・・・、ｊＳｋと、
前記符号Ｓ０、Ｓ１、Ｓ２、・・・、Ｓｋに−ｊを掛けた符号−ｊＳ０、−ｊＳ１、−ｊＳ２、・・・、−ｊＳｋとから構成されることを特徴とする請求項３記載の受信装置。
【請求項５】
符号判定装置は、直交成分復調部と同相成分復調部と符号判定部とを有することを特徴とする請求項３記載の受信装置。
【請求項６】
前記マッチドフィルタを、各符号に対応して設け、
前記判定部は、最大の前記平方差値ｘ3を出力したマッチドフィルタの出力に基づいて、受信符号を判定することを特徴とする請求項２記載の受信装置。
【請求項７】
前記マッチドフィルタを、符号Ｓ０、Ｓ１、Ｓ２、・・・、ＳK毎に設け、
前記判定部は、最大の前記平方差値ｘ3を出力したマッチドフィルタに対応した符号がＳｉ（ｉは、０〜Ｋの整数）であって、その主要成分が、それぞれ、１、ｊ、−１又は−ｊの方向である場合に、それぞれ、Ｓｉ、−Ｓｉ、ｊＳｉ又は−ｊＳｉを受信したと判定することを特徴とする請求項２記載の受信装置。
【請求項８】
前記所定ビット長の４相信号からなる符号は、
ＩＥＥＥ８０２．１１で用いられる長さ８の２５６個の４相信号からなる符号であることを特徴とする請求項３記載の受信装置。
【請求項９】
受信部と符号判定装置を有する所定ビット長の多相信号からなる符号を受信する受信方法において、
前記受信部と前記符号判定装置との間に設けた受信信号フィルタにより、受信信号をフィルタし、
前記符号判定装置は、受信信号フィルタによりフィルタされた受信信号を判定し、
前記受信信号フィルタの伝達関数は、前記多相信号の信号点を直交座標平面における角度と伝達量で表現した場合、前記多相信号点のそれぞれの角度における伝達量を最大値Ｍａｘとし、前記多相信号の信号点以外の角度の伝達量を、前記Ｍａｘ未満としたことを特徴とする受信方法。
【請求項１０】
所定ビット長の長さを有するマッチドフィルタと、該マッチドフィルタの出力を判定する判定部とを有する受信装置における前記所定ビット長の多相信号からなる符号を受信する受信方法において、
前記マッチドフィルタは、受信した符号との相関を出力し、
前記判定部は、前記マッチドフィルタの出力ｙが次式で表される場合、
ｙ＝ａ＋ｊｂ                
次式で表される平方差値ｘ３に基づいて、受信した符号を判定することを特徴とする受信方法。
ｘ３＝（ａ２−ｂ２）Ｎ／Ｍ 
ただし、Ｎ、Ｍは、１以上の正の整数である。
【請求項１１】
前記所定ビット長の多相信号が、所定ビット長の４相信号であることを特徴とする請求項９又は１０記載の受信装置。
【請求項１２】
前記所定ビット長の４相信号からなる符号は、
８ビットの符号Ｓ０、Ｓ１、Ｓ２・・・、Ｓｋ（Ｋは、２以上の整数）と、
前記符号Ｓ０、Ｓ１、Ｓ２・・・、Ｓｋを反転した符号−Ｓ０、−Ｓ１、−Ｓ２、・・・、−Ｓｋと、
前記符号Ｓ０、Ｓ１、Ｓ２、・・・、Ｓｋにｊを掛けた符号ｊＳ０、ｊＳ１、ｊＳ２、・・・、ｊＳｋと、
前記符号Ｓ０、Ｓ１、Ｓ２、・・・、Ｓｋに−ｊを掛けた符号−ｊＳ０、−ｊＳ１、−ｊＳ２、・・・、−ｊＳｋとから構成されることを特徴とする請求項１１記載の受信方法。
【請求項１３】
前記マッチドフィルタを、各符号に対応して設け、
前記判定部は、最大の前記平方差値ｘ3を出力したマッチドフィルタの出力に基づいて、受信符号を判定することを特徴とする請求項１０記載の受信方法。
【請求項１４】
前記マッチドフィルタを、符号Ｓ０、Ｓ１、Ｓ２、・・・、ＳK毎に設け、
前記判定部は、最大の前記平方差値ｘ3を出力したマッチドフィルタに対応した符号がＳｉ（ｉは、０〜Ｋの整数）であって、その主要成分が、それぞれ、１、ｊ、−１又は−ｊの方向である場合に、それぞれ、Ｓｉ、−Ｓｉ、ｊＳｉ又は−ｊＳｉを受信したと判定することを特徴とする請求項１０記載の受信方法。
【請求項１５】
受信部と符号判定装置とを有し、所定ビット長の多相信号からなる符号を受信して判定する受信装置において、
前記受信部と前記符号判定装置との間に、受信した信号をフィルタする受信信号フィルタと線形変換部とディジタル信号フィルタとを順に設け、
前記受信信号フィルタ及びディジタル信号フィルタの伝達関数は、前記多相信号の信号点を直交座標平面における角度と伝達量で表現した場合、前記多相信号点のそれぞれの角度における伝達量を最大値Ｍａｘとし、前記多相信号の信号点以外の角度における伝達量を、前記最大値Ｍａｘ未満としたことを特徴とする受信装置。
【請求項１６】
前記受信信号フィルタの処理及びディジタル信号フィルタの処理を繰り返して行うために、ディジタル信号フィルタと受信信号フィルタとの間に、逆線形変換部を設けたことを特徴とする請求項１５記載の受信装置。
【請求項１７】
前記所定ビット長の多相信号からなる符号は、
ＩＥＥＥ８０２．１１で用いられる長さ８の２５６個の４相信号からなる符号であることを特徴とする請求項１５記載の受信装置。
【請求項１８】
線形変換部又は逆線形変換部は、アダマール変換を行うアダマール変換部又はアダマール変換逆変換を行う逆アダマール変換部であることを特徴とする請求項１５記載の受信装置。
【発明の詳細な説明】
【技術分野】
【０００１】
本発明は、受信装置及び受信方法に関する。
【背景技術】
【０００２】
無線ネットワークにおけるデータ通信端末で使用する、ＩＥＥＥ８０２．１１で用いられる長さ８の国際標準の２５６の符号を図１に示す。【０００３】
図１の各符号語は、例えば、図２に示されているように、
Ｓ０は、  １、  １、  １、−１、  １、  １、−１、  １  であり、
ｊＳ０は、  ｊ、  ｊ、  ｊ、−ｊ、  ｊ、  ｊ、−ｊ、  ｊ  であり、
−Ｓ０は、−１、−１、−１、  １、−１、−１、  １、−１  であり、
−ｊＳ０は、−ｊ、−ｊ、−ｊ、  ｊ、−ｊ、−ｊ、  ｊ、−ｊ  であり、
・・・・・・・・・・・・・・・・・・・・・・・・・・・・・・・・・
Ｓ６３は、  ｊ、−１、−１、  ｊ、−１、−ｊ、  ｊ、  １  であり、
ｊＳ６３は、−１、−ｊ、−ｊ、−１、−ｊ、  １、−１、  ｊ  であり、
−Ｓ６３は、−ｊ、  １、  １、−ｊ、  １、  ｊ、−ｊ、−１  であり、
−ｊＳ６３は、  １、  ｊ、  ｊ、  １、  ｊ、−１、  １、−ｊ  である。【０００４】
なお、４相信号の信号点の例を図３に示す。【０００５】
送信側のデータ通信端末は、この符号語を送信する。【０００６】
このように、８ビットの符号Ｓ０、Ｓ１、Ｓ２、・・・、Ｓ６３から、その符号Ｓ０、Ｓ１、Ｓ２、・・・、Ｓ６３を反転した−Ｓ０、−Ｓ１、−Ｓ２、・・・、−Ｓ６３と、符号Ｓ０、Ｓ１、Ｓ２、・・・、Ｓ６３にｊを掛けたｊＳ０、ｊＳ１、ｊＳ２、・・・、ｊＳ６３と、符号Ｓ０、Ｓ１、Ｓ２、・・・、Ｓ６３に−ｊを掛けた−ｊＳ０、−ｊＳ１、−ｊＳ２、・・・、−ｊＳ６３とを生成し、合計で２５６の符号としている。【０００７】
受信側では、この符号を次のようにして、判定している。【０００８】
図４に従来の受信装置の例を示す。図４の受信装置は、アンテナ１０、データ信号受信部１１及び符号判定装置１５から構成されている。また、符号判定装置１５は、同相成分復調部１２、直交成分復調部１３及び符号判定部１４から構成されている。【０００９】
データ信号受信部１１で受信された４相信号は、同相成分復調部１２及び直交成分復調部１３に供給される。同相成分復調部１２で、受信した符号の同相成分が検出され、直交成分復調部１３で受信した符号の直交成分が検出される。【００１０】
符号判定部１４では、同相成分復調部１２及び直交成分復調部１３の出力に基づいて、受信した符号が、２５６個の符号のどの符号であるかを判定する。【００１１】
具体的には、符号判定部１４では、同相成分復調部１２及び直交成分復調部１３の出力に基づいて、受信した符号（例えば、  ｊ、−１、−１、  ｊ、−１、−ｊ、  ｊ、  １  ）を再生し、この受信した符号と、全ての２５６個の符号との相関をとり、相関値の最も大きな符号を検出して、その符号が受信されたと判定する。この場合は、符号Ｓ６３を受信したと判定する。【００１２】
なお、同相成分復調部１２及び直交成分復調部１３は、ベースバンド領域で行っても良いし、データ信号受信部１１内の高周波領域で行っても良い。
【発明の開示】
【発明が解決しようとする課題】
【００１３】
しかしながら、従来の方法では、８ビットで２５６語の符号を授受できるものの、誤り率が大きいという問題がある。【００１４】
本発明は、このような問題に鑑みなされたものであり、誤り率の小さい受信装置及び受信方法を提供することを目的とするものである。
【課題を解決するための手段】
【００１５】
上記課題を解決するために、本件発明は、以下の特徴を有する課題を解決するための手段を採用している。【００１６】
本件発明の受信装置は、受信部と符号判定装置とを有し、所定ビット長の多相信号からなる符号を受信して判定する受信装置であって、前記受信部と前記符号判定装置との間に、受信した信号をフィルタする受信信号フィルタを設け、該受信信号フィルタの伝達関数は、前記多相信号の信号点を直交座標平面における角度と伝達量で表現した場合、前記多相信号点のそれぞれの角度における伝達量を最大値Ｍａｘとし、前記多相信号の信号点以外の角度における伝達量を、前記最大値Ｍａｘ未満としたことを特徴としている。【００１７】
また、本件発明の受信装置は、受信部と符号判定装置とを有し、所定ビット長の多相信号からなる符号を受信して判定する受信装置であって、前記符号判定装置は、前記符号の長さと同じ長さを有するマッチドフィルタと、該マッチドフィルタの出力を判定する判定部とを有し、前記マッチドフィルタは、受信した符号との相関を出力し、前記判定部は、前記マッチドフィルタの出力ｙが次式で表される場合、
ｙ＝ａ＋ｊｂ                ・・・（１）
次式で表される平方差値ｘ３に基づいて、受信した符号を判定することを特徴とする受信装置。【００１８】
ｘ３＝（ａ２−ｂ２）Ｎ／Ｍ      ・・・（２）
ただし、Ｎ、Ｍは、１以上の正の整数である。【００１９】
なお、前記所定ビット長の多相信号が、所定ビット長の４相信号であるように構成することができる。【００２０】
また、前記所定ビット長の４相信号からなる符号は、
８ビットの符号Ｓ０、Ｓ１、Ｓ２・・・、Ｓｋ（Ｋは、２以上の整数）と、
前記符号Ｓ０、Ｓ１、Ｓ２・・・、Ｓｋを反転した符号−Ｓ０、−Ｓ１、−Ｓ２、・・・、−Ｓｋと、
前記符号Ｓ０、Ｓ１、Ｓ２、・・・、Ｓｋにｊを掛けた符号ｊＳ０、ｊＳ１、ｊＳ２、・・・、ｊＳｋと、
前記符号Ｓ０、Ｓ１、Ｓ２、・・・、Ｓｋに−ｊを掛けた符号−ｊＳ０、−ｊＳ１、−ｊＳ２、・・・、−ｊＳｋとから構成されるように構成することができる。【００２１】
また、符号判定装置は、直交成分復調部と同相成分復調部と符号判定部とを有するように構成することができる。【００２２】
また、前記マッチドフィルタを、各符号に対応して設け、前記判定部は、最大の前記平方差値ｘ3を出力したマッチドフィルタの出力に基づいて、受信符号を判定するように構成することができる。【００２３】
なた、前記マッチドフィルタを、符号Ｓ０、Ｓ１、Ｓ２、・・・、ＳK毎に設け、
前記判定部は、最大の前記平方差値ｘ3を出力したマッチドフィルタに対応した符号がＳｉ（ｉは、０〜Ｋの整数）であって、その主要成分が、それぞれ、１、ｊ、−１又は−ｊの方向である場合に、それぞれ、Ｓｉ、−Ｓｉ、ｊＳｉ又は−ｊＳｉを受信したと判定するように構成することができる。【００２４】
また、前記所定ビット長の４相信号からなる符号は、ＩＥＥＥ８０２．１１で用いられる長さ８の２５６個の４相信号からなる符号であるように構成することができる。【００２５】
本件発明の受信方法は、受信部と符号判定装置を有する所定ビット長の４相信号からなる符号を受信する受信方法であって、前記受信部と前記符号判定装置との間に設けた受信信号フィルタにより、受信信号をフィルタし、前記符号判定装置は、受信信号フィルタによりフィルタされた受信信号を判定し、前記受信信号フィルタの伝達関数は、前記多相信号の信号点を直交座標平面における角度と伝達量で表現した場合、前記多相信号点のそれぞれの角度における伝達量を最大値Ｍａｘとし、前記多相信号の信号点以外の角度の伝達量を、前記Ｍａｘ未満としたことを特徴とする。【００２６】
また、本件発明の受信方法は、所定ビット長の長さを有するマッチドフィルタと、該マッチドフィルタの出力を判定する判定部とを有する受信装置における前記所定ビット長の４相信号からなる符号を受信する受信方法であって、前記マッチドフィルタは、受信した符号との相関を出力し、前記判定部は、前記マッチドフィルタの出力ｙが次式で表される場合、
ｙ＝ａ＋ｊｂ                ・・・（１）
次式で表される平方差値ｘ３に基づいて、受信した符号を判定することを特徴とする。【００２７】
ｘ３＝（ａ２−ｂ２）Ｎ／Ｍ    ・・・（２）
ただし、Ｎ、Ｍは、１以上の正の整数である。【００２８】
また、本件発明の受信装置は、  受信部と符号判定装置とを有し、所定ビット長の多相信号からなる符号を受信して判定する受信装置であって、前記受信部と前記符号判定装置との間に、受信した信号をフィルタする受信信号フィルタと線形変換部とディジタル信号フィルタとを順に設け、前記受信信号フィルタ及びディジタル信号フィルタの伝達関数は、前記多相信号の信号点を直交座標平面における角度と伝達量で表現した場合、前記多相信号点のそれぞれの角度における伝達量を最大値Ｍａｘとし、前記多相信号の信号点以外の角度における伝達量を、前記最大値Ｍａｘ未満としたことを特徴とする。【００２９】
なお、前記受信信号フィルタの処理及びディジタル信号フィルタの処理を繰り返して行うために、ディジタル信号フィルタと受信信号フィルタとの間に、逆線形変換部を設けるように構成することができる。【００３０】
また、線形変換部又は逆線形変換部は、アダマール変換を行うアダマール変換部又はアダマール変換逆変換を行う逆アダマール変換部であるように構成することができる。
【発明の効果】
【００３１】
本発明によれば、誤り率の小さい受信装置及び受信方法を提供することができる。
【図面の簡単な説明】
【００３２】
【図１】２５６の符号を説明するための図である。
【図２】符号の具体例である。
【図３】４相信号の信号点を説明するための図である。
【図４】従来の受信装置を説明するための図である。
【図５】本発明の受信装置（その１）を説明するための図である。
【図６】信号受信フィルタの特性（その１）である。
【図７】信号受信フィルタの特性（その２）である。
【図８】符号判定部の例を説明するための図である。
【図９】マッチドフィルタの出力を説明するための図である。
【図１０】信号変換を説明するための図である。
【図１１】本発明の受信装置（その２）を説明するための図である。
【図１２】信号受信フィルタの特性（その３）である。
【図１３】ディジタルフィルタの特性（その１）を説明するための図である。
【図１４】ディジタル信号フィルタの特性（その２）を説明するための図である。
【図１５】フィルタを循環して利用する例を説明するための図である。
【図１６】「符号判定装置による改善」に関するシミュレーションの結果である。
【図１７】「符号判定装置による改善」における受信方法を説明するための図である。
【符号の説明】
【００３３】
１０、２０    アンテナ
１１、２１、２０１    データ信号受信部
１２    同相成分復調部
１３    直交成分復調部
１４、２５    符号判定部
１５、２３、２６    符号判定装置
２２、２０２    受信信号フィルタ部
２４    マッチドフィルタ
２０３    アダマール変換器
２０４  ディジタル信号フィルタ
２０５、２０７、２１０    相関復号器
２０６、２２０    逆アダマール変換器
【発明を実施するための最良の形態】
【００３４】
（フィルタによる改善）
図５に、本発明の受信装置の例を示す。図５の受信装置は、アンテナ２０、データ信号受信部２１、受信信号フィルタ部２２及び符号判定装置２３から構成されている。【００３５】
データ信号受信部２１からは、図２に示されている２５６の符号が出力される。この２５６の符号は、図３に示されているように、４相の信号である。【００３６】
ところで、データ信号受信部２１からは、図３に示されているような、綺麗な４相の信号は出力されない。伝送路における雑音により、信号点を中心にした、ノイズボールの範囲の信号が、データ信号受信部２１から出力される。【００３７】
本発明は、雑音によって、信号点がずれた信号に対して、受信信号フィルタ部２２でフィルタを掛け、フィルタされた信号に対して、符号判定装置２３で符号の判定を行う。【００３８】
図６（Ａ）に、図４に示された４相信号に対するフィルタの例を示す。【００３９】
受信信号フィルタ２２の伝達関数は、図６（Ｂ）に示すように、直交座標平面における角度と伝達量（大きさ）で表現した場合、４相信号点のそれぞれの角度（０度、９０度、１８０度、２７０度）における伝達量（大きさ）を最大値Ｍａｘ（例えば、Ｍａｘ＝１）とし、４相信号の信号点以外の角度の伝達量（大きさ）を、前記最大値Ｍａｘ未満（例えば、Ｍａｘが１未満）としている。なお、０度、９０度、１８０度、２７０度の中間の角度において最小とし、その最小値から信号点における最大値Ｍａｘにかけて、暫増するようにしてもよい。【００４０】
この受信信号フィルタ２２により、受信信号のＳ／Ｎを上げることができる。つまり、ノイズの影響のない信号点のそれぞれの角度における伝達量（大きさ）を最大値Ｍａｘとし、ノイズの影響を受けた角度の伝達量（大きさ）を、最大値Ｍａｘ未満としているので、受信信号フィルタ２２からは、相対的に、ノイズの影響が低減されている。【００４１】
なお、４相信号点のそれぞれの角度は、実例として、任意の４相の角度でよい。また、角度も、各９０度毎の一定の間隔で無くてもよい。【００４２】
また、８相信号の場合は、図７に示されているような受信信号フィルタ２２を用いる。【００４３】
一般論で言えば、図６（Ｂ）の直交座標を角度θ（例えば、第４象限と第１象限に境界線を０度とする。）と伝達量（大きさ）Ａで表現した場合、受信信号フィルタの伝達関数を、多相信号点のそれぞれの角度における伝達量（大きさ）を最大値Ｍａｘとし、多相信号の信号点以外の角度の伝達量（大きさ）を、前記最大値Ｍａｘ未満とすることで、受信信号のＳ／Ｎを上げることができる。【００４４】
なお、図６及び図７のフィルタ処理は、判定すべき信号がアナログ信号及びデジタル信号に対して適用できる。【００４５】
また、符号判定部として、様々な符号判装置を用いることができる。例えば、図４に示されているような符号判定装置１５を用いることができる。また、図８に示されているような符号判定装置２６を用いることもできる。
（符号判定装置による改善）
図８における符号判定装置２６は、Ｓ０のマッチドフィルタ２４０、Ｓ１のマッチドフィルタ２４１、・・・、Ｓ６３のマッチドフィルタ２４６３及び符号判定部２５から構成されている。【００４６】
データ信号受信部で受信された信号は、同時に、６４個のマッチドフィルタ２４０、マッチドフィルタ２４１、・・・、マッチドフィルタ２４６３に供給される。【００４７】
なお、マッチドフィルタは、長さ８の２５６個の４相｛１、ｊ、−１、−ｊ｝からなる次の符号
８ビットの符号Ｓ０、Ｓ１、Ｓ２、・・・、Ｓ６３と、
８ビットの符号−Ｓ０、−Ｓ１、−Ｓ２、・・・、−Ｓ６３と、
８ビットの符号ｊＳ０、ｊＳ１、ｊＳ２、・・・、ｊＳ６３と、
８ビットの符号−ｊＳ０、−ｊＳ１、−ｊＳ２、・・・、−ｊＳ６３
に対して、同じ、例えば、８ビットの符号Ｓ０、Ｓ１、Ｓ２、・・・、Ｓ６３に対応したマッチドフィルタとする。つまり、Ｓｉ、−Ｓｉ、ｊＳｉ及び−ｊＳｉに対して、Ｓｉに対応した同じマッチドフィルタを用いる。【００４８】
次に、Ｓ０のマッチドフィルタ２４０の動作を説明する。ここで、符号Ｓ０を受信したとき、Ｓ０のマッチドフィルタ２４０で符号Ｓ０との相関を取ると図９（Ａ）に示されているように、「８」の信号が出力される。【００４９】
また、符号−Ｓ０を受信したときは図９（Ｂ）に示されているように、「−８」の信号が出力され、符号ｊＳ０を受信したときは図９（Ｂ）に示されているように、「８ｊ」の信号が出力され、符号−ｊＳ０を受信したときは図９（Ｄ）に示されているように、「−８ｊ」の信号が出力される。【００５０】
また、マッチドフィルタ２４０で、Ｓ０、−Ｓ０、ｊＳ０又は−ｊＳ０以外の符号を受信したときは、図９（Ｅ）に示されているようなレベルの小さい信号（例えば、「４＋４ｊ」）が出力される。【００５１】
Ｓ１のマッチドフィルタ２４１、・・・、Ｓ６３のマッチドフィルタ２４６３も、同様に動作する。【００５２】
次に、６４個のマッチドフィルタ２４の出力を受けて、符号を判定する符号判定部２５について説明する。【００５３】
６４個のマッチドフィルタ２４の出力は、複素信号であるので、通常は、その信号が有する信号電力（エネルギー）に基づいて判定される。【００５４】
例えば、マッチドフィルタの出力ｙが次式で表される場合、
ｙ＝ａ＋ｊｂ                ・・・（１）
次式で表される信号電力値ｘ０に基づいて、受信した符号を判定する。【００５５】
ｘ０＝（ａ２＋ｂ２）１／２      ・・・（２）
つまり、図９の（Ａ）、（Ｂ）、（Ｃ）、（Ｄ）及び（Ｅ）に対して、信号電力値ｘ０で判別すると、それぞれの信号電力値ｘ０は、８、８、８、８及び４√２となる。【００５６】
しかしながら、８と４√２の差が小さく、十分な識別ができない。【００５７】
そこで、本発明では、次式で表される平方差値ｘ１に基づいて、受信した符号を判定する。【００５８】
ｘ１＝（ａ２−ｂ２）１／２      ・・・（３）
これによれば、図５の（Ａ）、（Ｂ）、（Ｃ）、（Ｄ）及び（Ｅ）に対して、平方差値ｘ１で判別すると、それぞれ、平方差値ｘ１は、８、８、８、８及び０となり、十分な識別が可能となる。【００５９】
つまり、Ｓ０のマッチドフィルタ２４０、Ｓ１のマッチドフィルタ２４１、・・・、Ｓ６３のマッチドフィルタ２４６３でデータ信号受信部２１から出力された信号との相関をとって、平方差値ｘ１により、受信した符号を判定とする。【００６０】
平方差値ｘ１に基づいて判定すると、符号Ｓｉ、−Ｓｉ、ｊＳｉ又は−ｊＳｉを受信した場合は、符号Ｓｉに対応したマッチドフィルタからの出力の平方差値ｘ１が「８」となる。【００６１】
したがって、符号判定部２５は、符号Ｓｉに対応したマッチドフィルタからの出力の平方差値ｘ１が「８」となった場合は、受信した符号が、符号Ｓｉ、−Ｓｉ、ｊＳｉ又は−ｊＳｉの何れかであることを判定する。【００６２】
また、符号判定部２５は、受信した符号が、符号Ｓｉ、−Ｓｉ、ｊＳｉ又は−ｊＳｉの何れかであることを次のようにして判定する。【００６３】
判定部２３は、最大の平方差値ｘ１を出力した符号Ｓｉに対応したマッチドフィルタの出力の主要成分の方向（同相、ｊ方向、−１（反対）方向、−ｊ方向）に基づいて判断する。判定部２３は、主要成分が同相成分であれば、受信した符号は、符号Ｓｉであると判断し、主要成分がｊ方向成分であれば、受信した符号は、符号ｊＳｉであると判断し、主要成分が−１（反対）方向成分であれば、受信した符号は、符号−Ｓｉであると判断し、主要成分が−ｊ方向成分であれば、受信した符号は、符号−ｊＳｉであると判断する。【００６４】
ここで、具体的に例を挙げて説明する。つまり、Ｓ０のマッチドフィルタ２４０出力として、平方差値ｘ１として８を出力した場合は、受信した符号がＳｉ、−Ｓｉ、ｊＳｉ又は−ｊＳｉの一つであることが分かる。【００６５】
更に、Ｓｉ、−Ｓｉ、ｊＳｉ又は−ｊＳｉの特定については、マッチドフィルタの出力の主要成分の方向（同相、ｊ方向、−１（反対）方向、−ｊ方向）に基づいて判断する。【００６６】
つまり、マッチドフィルタに対応した符号がＳ０の主要成分の方向が、
・１（同相）である場合は、受信した符号はＳ０であると判断し、
・ｊ（直交成分：π／２）である場合は、受信した符号はｊＳ０と判断し、
・−１（反対成分：−π）である場合は、受信した符号は−Ｓ０と判断し、
・−ｊ（反対直交成分−π／２）である場合は、受信した符号は−ｊＳ０と判断する。【００６７】
なお、上記説明では、判定部２５は、式（３）の平方差値ｘ１で判定したが、次の平方差値ｘ２、ｘ３で判定しても同様の結果を得ることができる。【００６８】
ｘ２＝（ａ２−ｂ２）              ・・・（４）
ｘ３＝（ａ２−ｂ２）Ｎ／Ｍ          ・・・（５）
ただし、Ｎ、Ｍは、１以上の正の整数である。【００６９】
「符号判定装置による改善」は、送信側を変更することなく、受信側だけの処理により、誤り率を小さくすることができる。【００７０】
なお、図８では、８ビットの符号Ｓ０、Ｓ１、Ｓ２、・・・、Ｓ６３に対応したマッチドフィルタとしたが、ｊＳ０、ｊＳ１、ｊＳ２、・・・、ｊＳ６３、−Ｓ０、−Ｓ１、−Ｓ２、・・・、−Ｓ６３、−ｊＳ０、−ｊＳ１、−ｊＳ２、・・・、−ｊＳ６３に対応したマッチドフィルタでもよい。【００７１】
まお、「符号判定装置による改善」に関するシミュレーションの結果を図１６に示す。これによれば、同じ誤り率に対して、Ｓ／Ｎが２０％程度、向上することが分かった。【００７２】
「符号判定装置による改善」における受信方法について、図１７を用いて説明する。「符号判定装置による改善」による受信方法は、図１７に示すように、データを受信するデータ受信ステップＳ１０と、データ受信ステップＳ１０で受信された符号をマッチドフィルタに通過させるマッチドフィルタ処理ステップＳ１１と判定ステップＳ１２を有する。【００７３】
データ受信ステップＳ１０は、データ信号受信部２１で受信するステップである。また、マッチドフィルタ処理ステップＳ１１は、送信される符号Ｓ０、Ｓ１、・・・、Ｓ６３としたとき、データ受信ステップＳ１０で受信された符号を、符号Ｓ０のマッチドフィルタ２２０、Ｓ１のマッチドフィルタ２２１、・・・、Ｓ６３に対応したマッチドフィルタ２２６３でフィルタ処理するステップである。【００７４】
また、判定ステップＳ１２は、データ受信ステップＳ１０で受信された符号を、符号Ｓ０のマッチドフィルタ２２０、Ｓ１のマッチドフィルタ２２１、・・・、Ｓ６３に対応したマッチドフィルタ２２６３でフィルタ処理された出力信号を、それぞれの出力信号毎に、その大きさを判定するステップである。【００７５】
具体的には、マッチドフィルタ処理ステップＳ１１における符号Ｓ０のマッチドフィルタ２２０、Ｓ１のマッチドフィルタ２２１、・・・、Ｓ６３に対応したマッチドフィルタ２２６３でフィルタ処理された出力信号ｙが次式で表される場合に、
ｙ＝ａ＋ｊｂ      
次式で表される平方差値ｘ３に基づいて、受信した符号を判定する。【００７６】
ｘ３＝（ａ２−ｂ２）Ｎ／Ｍ 
ただし、Ｎ、Ｍは、１以上の正の整数である。
（ディジタルフィルタによる改善）
図２に示した２５６の符号が、ＩＥＥＥ８０２．１１のワーキンググループで標準化されている８０２．１１ｂの信号として用いられている。これらの信号は、アダマール変換に対して、白色である。【００７７】
ここで、図２に示した２５６の信号のひとつである符号（１、  １、  １、−１、  １、  １、−１、  １）について検討する。【００７８】
送信側では、図１０に示すように、
１→(１＋ｊ)/√２
ｊ→(−１＋ｊ)/√２
−1→(−１−ｊ)/√２
−ｊ→(１−ｊ)/√２
と変換してもよい。変換された信号も信号点の位置は異なるものの４相の信号と言える。【００７９】
したがって、４相の信号（  １、−１、−ｊ、−ｊ、−ｊ、  ｊ、  １、  １）は、【００８０】
【数１】
2006030601.tif 000002
と、別の４相の信号に変換されて、送信される。【００８１】
受信側でこれを受信して、アダマール変換すると、【００８２】
【数２】
2006030601.tif 000003
となり、｛１、ｊ、−１、−ｊ｝からなる４相の信号に変換される。【００８３】
この４相の信号について、相関をとって、符号の判定を行うことができる。【００８４】
この場合における誤り率を小さくする受信装置を、図１１を用いて説明する。【００８５】
図１１は、本発明の受信装置の他の例である。図１１の受信装置は、アンテナ２００、データ信号受信部２０１、受信信号フィルタ部２０２、アダマール変換部２０３、ディジタル信号フィルタ２０４、相関復号装置（Ｂ）、逆アダマール変換部２０６及び相関復号装置（Ａ）２０７から構成されている。【００８６】
データ信号受信部２０１からは、図１０のように変換された図２に示されている２５６の符号が出力される。この２５６の符号を構成する信号は、図１０に示されているように、４５度、１３５度、２２５度及び３１５度に信号点を有する信号である。【００８７】
そこで、受信信号フィルタ部２０２で、図１２（Ａ）又は図１２（Ｂ）に示すような特性のフィルタを通過させることにより、ノイズ成分を低減することができるので、上述した「フィルタによる改善」と同様に、誤り率を小さくすることができる。【００８８】
実施例２では、受信信号フィルタ部２０２を通過した信号に対して、アダマール変換部２０３で、アダマール変換を行う。アダマール変換を行うことにより、受信信号は、式（９）で示されるように、｛１、ｊ、−１、−ｊ｝からなる４相の信号に変換される。【００８９】
この４相の信号に対して、図１３に示されているＦの特性のフィルタをディジタル的に掛ける。これにより、更に、ノイズ成分が低減されるので、更に、誤り率を小さくすることができる。【００９０】
なお、図１４に示すように、原点近くの成分を「０」にするように、ディジタル的に処理することにより、更に、誤り率は減少する。【００９１】
ディジタル信号フィルタ２０４を通過した信号を直接、相関復号器（Ｂ）２０５でディジタル的に復号することもできるし、ディジタル信号フィルタ２０４の出力に対して、逆アダマール変換器２０６で逆アダマール変換してアナログ信号とし、上述した「フィルタによる改善」と同様に相関復号器（Ａ）２０７で復号することができる。
（変形例）
「ディジタルフィルタによる改善」の変形例を図１５に示す。図１５の受信装置は、アンテナ２００、データ信号受信部２０１、受信信号フィルタ部２０２、アダマール変換部２０３、ディジタル信号フィルタ２０４、相関復号装置（Ｂ）２０５及び逆アダマール変換部２２０から構成されている。【００９２】
図１１では、受信信号フィルタ部２０２とディジタル信号フィルタ２０４とを、それぞれ、１回通過したものであったが、図１５のものでは、受信信号フィルタ部２０２とディジタル信号フィルタ２０４との間に、逆アダマール変換部２２０を挿入して、繰り返して、受信信号フィルタ部２０２とでディジタル信号フィルタ２０４とを通過できるようにしたものである。これにより、更に、誤り率を小さくすることができる。【００９３】
「フィルタによる改善」、「符号判定装置による改善」及び「ディジタルフィルタによる改善」における信号点は、その配置が等間隔にものについて説明したが、本発明における信号点は、等間隔のもので無くてもよい。【００９４】
「ディジタルフィルタによる改善」では、アダマール変換により線形変換をした例について説明したが、本発明は、アダマール変換以外の線形変換を用いることができる。【００９５】
以上、発明を実施するための最良の形態について説明を行ったが、本発明は、この最良の形態で述べた実施の形態に限定されるものではない。本発明の主旨をそこなわない範囲で変更することが可能である。
【図１】
2006030601.tif 000004
【図２】
2006030601.tif 000005
【図３】
2006030601.tif 000006
【図４】
2006030601.tif 000007
【図５】
2006030601.tif 000008
【図６】
2006030601.tif 000009
【図７】
2006030601.tif 000010
【図８】
2006030601.tif 000011
【図９】
2006030601.tif 000012
【図１０】
2006030601.tif 000013
【図１１】
2006030601.tif 000014
【図１２】
2006030601.tif 000015
【図１３】
2006030601.tif 000016
【図１４】
2006030601.tif 000017
【図１５】
2006030601.tif 000018
【図１６】
2006030601.tif 000019
【図１７】
2006030601.tif 000020
【手続補正書】
【提出日】平成18年7月13日(2006.7.13)
【手続補正１】
【補正対象書類名】明細書
【補正対象項目名】００１３
【補正方法】変更
【補正の内容】
【００１３】
４５度、１３５度、２２５度及び３１５度に信号点を有する信号である。
［００８７］
そこで、受信信号フィルタ部２０２で、図１２（Ａ）又は図１２（Ｂ）に示すような特性のフィルタを通過させることにより、ノイズ成分を低減することができるので、上述した「フィルタによる改善」と同様に、誤り率を小さくすることができる。
［００８８］
実施例２では、受信信号フィルタ部２０２を通過した信号に対して、アダマール変換部２０３で、アダマール変換を行う。アダマール変換を行うことにより、受信信号は、式（９）で示されるように、｛１、ｊ、−１、−ｊ｝からなる４相の信号に変換される。
［００８９］
この４相の信号に対して、図１３に示されているＦの特性のフィルタをディジタル的に掛ける。これにより、更に、ノイズ成分が低減されるので、更に、誤り率を小さくすることができる。
［００９０］
なお、図１４に示すように、原点近くの成分Ｃを「０」にするように、ディジタル的に処理することにより、更に、誤り率は減少する。
［００９１］
ディジタル信号フィルタ２０４を通過した信号を直接、相関復号器（Ｂ）２０５でディジタル的に復号することもできるし、ディジタル信号フィルタ２０４の出力に対して、逆アダマール変換器２０６で逆アダマール変換してアナログ信号とし、上述した「フィルタによる改善」と同様に相関復号器（Ａ）２０７で復号することができる。
（変形例）
「ディジタルフィルタによる改善」の変形例を図１５に示す。図１５の受信装置は、アンテナ２００、データ信号受信部２０１、受信信号フィルタ部２０２、アダマール変換部２０３、ディジタル信号フィルタ２０４、相関復号装置（Ｂ）２０５及び逆アダマール変換部２２０から構成されている。
［００９２］
図１１では、受信信号フィルタ部２０２とディジタル信号フィルタ２０４とを、それぞれ、１回通過したものであったが、図１５のものでは、受信信号フィルタ部２０２とディジタル信号フィルタ２０４との間に、逆アダマール変換部２２０を挿入して、繰り返して、受信信号フィルタ部２０２とでディジタル信号フィルタ２０４とを通過できるようにしたものである。これにより、更に、誤り率を小さくすることができる。
［００９３］
「フィルタによる改善」、「符号判定装置による改善」及び「ディジタルフィルタによる改善」における信号点は、その配置が等間隔にものについて説明したが、本発明に
【手続補正２】
【補正対象書類名】図面
【補正対象項目名】全図
【補正方法】変更
【補正の内容】
【書類名】図面
【図１】
2006030601.tif 000021
【図２】
2006030601.tif 000022
【図３】
2006030601.tif 000023
【図４】
2006030601.tif 000024
【図５】
2006030601.tif 000025
【図６】
2006030601.tif 000026
【図７】
2006030601.tif 000027
【図８】
2006030601.tif 000028
【図９】
2006030601.tif 000029
【図１０】
2006030601.tif 000030
【図１１】
2006030601.tif 000031
【図１２】
2006030601.tif 000032
【図１３】
2006030601.tif 000033
【図１４】
2006030601.tif 000034
【図１５】
2006030601.tif 000035
【図１６】
2006030601.tif 000036
【図１７】
2006030601.tif 000037
【国際調査報告】
2006030601.tif 000038
2006030601.tif 000039
2006030601.tif 000040
2006030601.tif 000041